(57)【要約】【課題】  清掃対象面の形状、付着物の種類等に左右されず、安価に床面や壁面等の清掃対象面に付着した付着物を好適に除去することができる付着物除去装置の提供。【解決手段】  圧縮空気供給手段より供給された圧縮空気により洗浄液を噴射する洗浄液噴射銃１と、洗浄液噴射銃１に細粒状の清掃材ｂを供給する清掃材供給手段３と、洗浄液噴射銃１に水ｗを供給する給水手段４とを備え、洗浄液噴射銃１は、清掃材ｂと水ｗとを混合して洗浄液ｓとする混合部７を有し、混合部７で混合された洗浄液ｓを圧縮空気により清掃対象面に付着した付着物ａに対して高速噴射させることにより、付着物ａを清掃対象面より除去させるようにした付着物除去装置。【選択図】  図１
2005324158.tif 000002
【特許請求の範囲】
【請求項１】
圧縮空気供給手段より供給された圧縮空気により洗浄液を噴射する洗浄液噴射銃と、該洗浄液噴射銃に細粒状の清掃材を供給する清掃材供給手段と、前記洗浄液噴射銃に水を供給する給水手段とを備え、
前記洗浄液噴射銃は、前記清掃材と水とを混合して前記洗浄液とする混合部を有し、該混合部で混合された洗浄液を前記圧縮空気により清掃対象面に付着した付着物に対して高速噴射させることにより、前記付着物を清掃対象面より除去させるようにしたことを特徴としてなる付着物除去装置。
【請求項２】
清掃材は、細粒状の重曹である請求項１に記載の付着物除去装置。
【請求項３】
洗浄液噴射銃は、持ち運び自在である請求項１又は２に記載の付着物除去装置。
【発明の詳細な説明】
【技術分野】
【０００１】
本発明は、床面や壁面等に付着したガムや落書き等の付着物を除去するのに用いる付着物除去装置に関する。
【背景技術】
【０００２】
従来、床面や道路等に付着したチューインガム等の付着物を除去するには、付着物をヘラ等で掻き取る方法が取られているが、チューインガム等は時間が経つにつれ水分が蒸発して強固に付着してしまったり、べたついてうまく掻き取れなかったりするなど、作業が大変煩わしいという問題があり、それを解決すべく付着物を冷却ガスによって冷却硬化させ、硬く脆い状態して掻き取る方法（例えば、特許文献１を参照）や高温に熱したヘラを使用して付着物を掻き取る方法（例えば、特許文献２を参照）等がとられている。
【０００３】
一方、落書き等によって塗料が付着した壁面より塗料を除去するには、主に化学系洗剤を使用して洗い流す方法が採られている。
【特許文献１】実開平０３−１０５９８６号公報
【特許文献２】実開平０５−１６８２１号公報
【発明の開示】
【発明が解決しようとする課題】
【０００４】
しかし、上述の如き従来の技術では、最終的には付着物をヘラ等を使用して掻き取る為、ヘラ等で床面を傷つけ易く、又凹凸があってヘラ等が入り込めない部分に付着した付着物には対応できないという問題があった。
【０００５】
また、冷却ガス等を使用するので費用が嵩むという問題もあった。
【０００６】
更に、床面に付着したガム等の付着物をヘラで掻き取る作業等は、腰を屈めての作業になるので作業員に多大な負担を強いるものであった。
【０００７】
また、上述の如き壁面に付着した塗料を除去する場合においては、多大な労力を必要とするうえ、完全に消しきれない場合があり、使用し終えた洗剤の処理も面倒であった。
【０００８】
そこで本発明は、上述の従来技術の問題を鑑み、清掃対象面の形状、付着物の種類等に左右されず、安価に床面や壁面等の清掃対象面に付着した付着物を好適に除去することができる付着物除去装置の提供を目的とする。
【課題を解決するための手段】
【０００９】
上述の如き従来の問題を解決し、所期の目的を達成するための請求項１に記載の発明は、圧縮空気供給手段より供給された圧縮空気により洗浄液を噴射する洗浄液噴射銃と、該洗浄液噴射銃に細粒状の清掃材を供給する清掃材供給手段と、前記洗浄液噴射銃に水を供給する給水手段とを備え、前記洗浄液噴射銃は、前記清掃材と水とを混合して前記洗浄液とする混合部を有し、該混合部で混合された洗浄液を前記圧縮空気により清掃対象面に付着した付着物に対して高速噴射させることにより、前記付着物を清掃対象面より除去させるようにした付着物除去装置であることを特徴とする。
【００１０】
請求項２に記載の発明は、請求項１の構成に加え、清掃材は、細粒状の重曹であることを特徴とする。
【００１１】
請求書３に記載の発明は、請求項１又は２の構成に加え、洗浄液噴射銃は、持ち運び自在であることを特徴とする。
【発明の効果】
【００１２】
本発明に係る付着物除去装置は、圧縮空気供給手段より供給された圧縮空気により洗浄液を噴射する洗浄液噴射銃と、該洗浄液噴射銃に細粒状の清掃材を供給する清掃材供給手段と、前記洗浄液噴射銃に水を供給する給水手段とを備え、前記洗浄液噴射銃は、前記清掃材と水とを混合して前記洗浄液とする混合部を有し、該混合部で混合された洗浄液を前記圧縮空気により清掃対象面に付着した付着物に対して高速噴射させることにより、前記付着物を清掃対象面より除去させるようにしたことによって、清掃対象面を傷つけることなく、また、清掃対象面の凹凸に影響されずに好適に清掃対象面に付着した付着物を除去することができ、作業員の負担も少なく、しかも安価に作業を行うことができる。
【００１３】
清掃材が細粒状の重曹であることによって、樹脂剤や油分等を好適に除去することができ、床面等に付着したチューインガムの噛み屑や壁面に付着した落書きによる塗料等の除去に効果的である。
【００１４】
洗浄液噴射銃は、持ち運び自在であることによって、作業性に優れ、床面のみならず壁面や天井等、場所を選ばずに作業を行うことができる。
【発明を実施するための最良の形態】
【００１５】
次に、本発明に係る付着物除去装置について説明する。
【００１６】
図１は付着物除去装置の概略を示し、図中符号１は洗浄液噴射銃、符号２は移動可能な作業台車である。
【００１７】
この付着物除去装置は、人力で持ち運び自在な洗浄液噴射銃１と、作業台車２上に設置された圧縮空気供給手段、清掃材供給手段３及び給水手段４とを備えている。
【００１８】
洗浄液噴射銃１は、図２に示すように、手で把持することができるグリップ部５と、グリップ部５と連続した筒状の銃身部６と、銃身部６の先端側に接続された混合部７とを備え、各部位５，６，７の内部が管路８により連通し、その管路８は基端側で引鉄（トリガー）９と連動した開閉弁１０により開閉されるようになっている。
【００１９】
グリップ部５の端部には、空気供給路１１が連結され、空気供給路１１を通して圧縮空気供給手段から圧縮空気が供給され、引鉄（トリガー）９をグリップ側に押すとシャフト９ａが後方に引かれて弁体１０ａがコイルスプリング１０ｂに抗して弁座１０ｃより離れ、それにより開閉弁１０が開いて先端側、即ち銃身部６及び混合部７に圧縮空気が供給されるようになっている。
【００２０】
混合部７は、銃身部６の先端部に接続される接続管部１２と、接続管部１２の外周部に形成され清掃材供給路１３が接続される供給路接続口１４と、接続管部１２の銃身部６とは反対側の端部に絞り部１２ａを介して連続した混合室１５と、混合室１５の先端側に形成されたノズル部１６とが一体に形成されている。
【００２１】
また、混合室１５には、給水路１７が接続される給水路接続口１８が設けられている。
【００２２】
この混合部７では、接続管部１２に圧縮空気が送り込まれると、圧縮空気による負圧によって供給路接続口１４より清掃材ｂが混合室１５内に引き込まれ、混合室１５内の負圧により給水路１７を通して給水手段より水が引き込まれる。
【００２３】
そして、混合室１５内で清掃材ｂと水ｗとが混合されて洗浄液ｓとなり、それが圧縮空気によりノズル部１６より噴射されるようになっている。
【００２４】
圧縮空気供給手段は、圧力調整可能なコンプレッサー１９を備え、そのコンプレッサー１９に連結された空気供給路１１を通して、一定圧の圧縮空気を洗浄液噴射銃１に送り込めるようになっている。
【００２５】
清掃材供給手段３は、下端に設置された清掃材ｂを定量排出できるバルブ２０を有し、粒状の清掃材ｂを収容する清掃材タンク２１を備え、その清掃材タンク２１がバルブ２０を介して清掃材供給路１３に連結され、清掃材供給路１３を通して清掃材ｂを洗浄液噴射銃１の混合部７に送り込むようになっている。
【００２６】
尚、清掃材タンク２１内に収容される清掃材ｂには、直径１００μ〜３００μ程度の微粒状の重曹が使用されている。
【００２７】
給水手段４は、下端に定量排水できるバルブ２２を有する貯水タンク２３を備え、その貯水タンク２３がバルブ２２を介して給水路１７に連結され、給水路１７を通して水ｗを洗浄液噴射銃１の混合部７に送り込むようになっている。
【００２８】
作業台車２は、底面の四隅に車輪２４，２４…が取り付けられており、路上１６を移動することができるようになっている。
【００２９】
このような構成の付着物除去装置を使用して清掃を行うには、まず、チューインガム噛み屑等の付着物ａが付着した清掃対象面の付近に作業台車２を移動させ、清掃材タンク２１及び貯水タンク２３のバルブ２０，２２をそれぞれ開き、清掃材供給路１３及び給水路１７を通して清掃材タンク２１及び貯水タンク２３と洗浄液噴射銃１とを連通、即ち洗浄液噴射銃の混合部７と清掃材供給手段３及び給水手段４とを連通させる。
【００３０】
次に、圧縮空気供給手段、即ちコンプレッサー１９を作動させ、圧縮空気圧を適当に調整する。尚、圧力は清掃対象面の状態、天候等の諸条件に合わせて調整することが好ましい。
【００３１】
そして、洗浄液噴射銃１を持ち、先端を付着物ａに向けて構え、引鉄（トリガー）９をグリップ側へ押すと、圧縮空気が管路８を通して混合部７に供給され、接続管部１２に圧縮空気が送り込まれると、圧縮空気による負圧によって供給路接続口１４より清掃材ｂが混合室１５内に引き込まれ、混合室１５内の負圧により給水路１７を通して給水手段より水が引き込まれる。
【００３２】
そして、混合室１５内で清掃材ｂと水ｗとが混合されて洗浄液ｓとなり、その洗浄液ｓがノズル部１６より圧縮空気により高速噴射されて付着物ａに衝突し、付着物ａを剥離させる。
【００３３】
最後に、モップ等によって剥離された付着物ａを含んだ洗浄液ｓを拭き取る。
【００３４】
このようにすることによって、清掃対象面を傷つけることなく、付着物ａを好適に除去することができる。
【００３５】
尚、上述の実施例では、洗浄液噴射銃を人力で持ち運びする例について説明したが、専用の台に固定して使用するようにしてもよい。
【００３６】
また、上述の実施例では、清掃材として１００μ〜３００μ程度の微粒状の重曹を使用した例について説明したが、清掃材は清掃対象に応じ、砂、硬質又は軟質樹脂製微粒材等、他の材料を適宜選択することも可能である。
【図面の簡単な説明】
【００３７】
【図１】本発明に係る付着物除去装置の概略を示す側面図である。
【図２】図１中の洗浄液噴射銃の概略を示す断面図である。
【符号の説明】
【００３８】
ａ  付着物
ｂ  清掃材
ｓ  洗浄液
ｗ  水
１  洗浄液噴射銃
２  作業台車
３  清掃材供給手段
４  給水手段
５  グリップ部
６  銃身部
７  混合部
８  管路
９  引鉄（トリガー）
９ａ  シャフト
１０  開閉弁
１０ａ  弁体
１０ｂ  コイルスプリング
１０ｃ  弁座
１１  空気供給路
１２  接続管部
１３  清掃材供給路
１４  供給路接続口
１５  混合室
１６  ノズル部
１７  給水路
１８  給水路接続口
１９  コンプレッサー
２０  バルブ
２１  清掃材タンク
２２  バルブ
２３  貯水タンク
２４  車輪
【図１】
2005324158.tif 000003
【図２】
2005324158.tif 000004